(57)【要約】【課題】シャッタ部材の表面からの離脱規制用頭部の突出を回避する。【解決手段】ディスク状情報媒体を収容するカートリッジ本体と、ディスクアクセス用の開口部の一部を規制状態において閉塞すると共に許容状態において開口するディスクトレイ５と、ディスクトレイ５に軸支されて開口部における他の一部を規制状態において閉塞すると共に許容状態において開口するシャッタ部材６とを備え、ディスクトレイ５には、シャッタ部材６に形成された軸受孔４１に挿通させられてシャッタ部材６を軸支する支持軸２３が底板２１に突設され、支持軸２３は、長板状の離脱規制用頭部３２が軸本体３１の先端部に形成されると共に底板２１の表面からの高さＨ５がシャッタ部材６の厚みＴよりも低くなるように形成されている。【選択図】図６
2007265504.tif 000002
【特許請求の範囲】
【請求項１】
第１シェル、およびディスクアクセス用の第１開口部が形成された第２シェルを有してディスク状情報媒体を収容するカートリッジ本体と、
ディスクアクセス用の第２開口部が形成されて前記カートリッジ本体内に回動可能に配設され、ディスクアクセスを規制する規制状態において前記第１開口部の一部を閉塞すると共に当該ディスクアクセスを許容する許容状態において当該第１開口部に対して前記第２開口部が連通させられて当該一部を開口するディスクトレイと、
前記第２シェルおよび前記ディスクトレイの間に配設されて当該ディスクトレイに軸支され、前記規制状態において前記第１開口部における他の一部を閉塞して前記ディスクトレイと相俟って当該第１開口部を閉塞すると共に前記許容状態において前記他の一部を開口するシャッタ部材とを備え、
前記ディスクトレイには、前記シャッタ部材に形成された軸受孔に挿通させられて当該シャッタ部材を軸支する支持軸が本体部に突設され、
前記支持軸は、軸本体の先端部に離脱規制用頭部が形成されると共に前記本体部の表面からの高さが前記シャッタ部材の厚みよりも低くなるように形成され、
前記離脱規制用頭部は、前記支持軸の高さ方向に対して直交する第１の長さが当該第１の長さの方向および当該高さ方向の双方に対して直交する第２の長さよりも長い長板状に形成されているディスクカートリッジ。
【請求項２】
前記離脱規制用頭部は、前記第１の長さが前記軸本体の前記先端部に近付くほど徐々に短くなるようにその下面がテーパ面で構成され、前記軸受孔には、前記離脱規制用頭部の前記テーパ面が当接可能な逆テーパ面が形成されている請求項１記載のディスクカートリッジ。
【発明の詳細な説明】
【技術分野】
【０００１】
本発明は、カートリッジ本体内に収容されたディスク状情報媒体に対してディスクアクセス用の開口部を介してのディスクアクセスが可能に構成されたディスクカートリッジに関するものである。
【背景技術】
【０００２】
この種のディスクカートリッジとして、カートリッジ筐体内にディスク状の情報媒体を収容したディスクカートリッジが特開２００３−１２３４２６号公報に開示されている。このディスクカートリッジは、光ディスク（情報媒体）と、上シェルおよびディスクアクセス用の開口部が形成された下シェルを有するカートリッジ筐体と、下シェルの開口部と同様の開口部が形成されてカートリッジ筐体内に回動可能に収容されたインナーシェル（ディスクトレイ）と、インナーシェルおよび下シェルの間に配設されてインナーシェルによって軸支された一対のシャッタ部材（シャッタ）とを備えている。このディスクカートリッジでは、記録再生装置に対する装填時および排出時において、記録再生装置によってインナーシェルがカートリッジ筐体に対して回動させられて下シェルにおける開口部の一部がインナーシェルによって開閉されると共に、インナーシェルの回動に伴って両シャッタ部材がインナーシェルに対して回動させられて下シェルにおける開口部の他の一部を開閉する構成が採用されている。
【０００３】
具体的には、このディスクカートリッジでは、インナーシェルに形成された支持軸をシャッタ部材に形成された軸受孔に挿通させた状態で支持軸の先端部をかしめ処理（かしめ加工）して支持軸の先端部に拡径頭部を形成することにより、インナーシェルに対するシャッタ部材の回動を許容しつつ、インナーシェルからのシャッタ部材の外れを回避する構成が採用されている。この場合、例えば熱かしめ装置によって支持軸の先端部を熱変形させて拡径頭部を形成する際に、頭部成型チップ（かしめ処理時に支持軸の先端部に当接させる部位）をかしめ処理に適した温度に温度管理する必要がある。しかしながら、ディスクカートリッジを連続して量産するときには、頭部成型チップを常に一定の温度に保つのが困難のため、均一な大きさで十分な厚みの拡径頭部を形成するのが困難となっている。
【０００４】
例えば、頭部成型チップの温度が低過ぎるときには、かしめ処理時に支持軸の先端部を十分に加熱することができないため、先端部が十分に熱変形せずに拡径頭部の径（大きさ）が小さくなる。この状態では、落下時などにおいて、支持軸がその衝撃などによって軸受孔から容易に抜けるため、シャッタ部材がインナーシェルから容易に外れることとなる。一方、頭部成型チップの温度が高過ぎるときには、支持軸の先端部が過度に熱せられて必要以上に大きく熱変形するため、拡径頭部は大きくなるものの、その厚みが薄くなり過ぎて破断し易くなる。この結果、破断に起因して、シャッタ部材がインナーシェルから外れることとなる。また、頭部成型チップの温度がさらに高温のときには、支持軸のみならず軸受孔の口縁部までもが熱変形して、シャッタ部材がインナーシェルに溶着されてインナーシェルに対するシャッタ部材の回動が阻害されるおそれもある。このように、熱かしめ装置等を用いてインナーシェルにシャッタ部材を取り付けている従来のディスクカートリッジには、インナーシェルからのシャッタ部材の外れや、インナーシェルに対するシャッタ部材の回動不良の発生を回避するのが困難であるという問題点が存在する。
【０００５】
一方、上記の問題点を解決するための技術として、出願人は、ディスクトレイ（上記のインナーシェル）の射出成形時において離脱規制用頭部（上記のディスクカートリッジにおける拡径頭部に相当する構成要素）を支持軸の先端部に形成したディスクカートリッジを特開２００５−３２２２９２号公報に開示している。このディスクカートリッジ１ｘ（以下、出願人が開示しているディスクカートリッジ１ｘの各構成要素については、符号の末尾に「ｘ」を付して説明する）は、図８に示すように、ディスクトレイ５ｘの底板３１ｘに突設された支持軸３３ｘを備えている。この場合、この支持軸３３ｘは、軸本体４１ｘと、軸本体４１ｘの先端部に形成されて一方の幅（支持軸の高さ方向に直交する方向の長さ）が他方の幅（一方の幅に直交する向きの幅）よりも広い（長い）長板状の離脱規制用頭部４２ｘとを備えている。また、シャッタ部材６ｘには、支持軸３３ｘが挿通させられる長孔状の軸受孔５１ｘが形成されている。この場合、軸受孔５１ｘは、離脱規制用頭部４２ｘの挿通を可能としつつ、閉塞状態と開口状態との間でシャッタ部材６ｘがディスクトレイ５ｘに対して回動させられているときに（図示せず）、ディスクトレイ５ｘからのシャッタ部材６ｘの外れ（離脱）を規制可能に形成されている。
【０００６】
したがって、出願人が開示しているディスクカートリッジ１ｘによれば、熱かしめ装置等を用いてディスクトレイ（インナーシェル）にシャッタ部材をかしめ処理して固定している従来のディスクカートリッジとは異なり、ディスクトレイ５ｘに対するシャッタ部材６ｘの取り付け作業時においてシャッタ部材６ｘとディスクトレイ５ｘとを溶着する必要がないため、シャッタ部材６ｘの回動不良の発生を確実に回避することが可能となっている。また、射出成形時に支持軸３３ｘを成形することで、離脱規制用頭部４２ｘの大きさや厚み（同図における高さＨ５ｂｘ）にばらつきを生じさせることなく支持軸３３ｘを形成することが可能となっている。このため、離脱規制用頭部４２ｘが小さ過ぎて軸受孔５１ｘから抜け易くなる事態や、離脱規制用頭部４２ｘが薄過ぎて破断し易くなる事態を確実に回避することができる。これにより、ディスクトレイ５ｘからのシャッタ部材６ｘの意図しない外れ（離脱）を確実に回避することができる。
【０００７】
また、このディスクカートリッジ１ｘでは、離脱規制用頭部４２ｘの挿通を可能とする挿通用孔６１ｘを取り囲むようにして、離脱規制用頭部４２ｘの厚み（同図における高さＨ５ｂｘ）よりも深い深さＤｘの凹部６２ｘをシャッタ部材６ｘに形成することで上記の軸受孔５１ｘが構成されている。このため、シャッタ部材６ｘをディスクトレイ５ｘに取り付けた状態において、離脱規制用頭部４２ｘをシャッタ部材６ｘの厚みの範囲内（凹部６２ｘ内）に位置させることが可能となり、これにより、シャッタ部材６ｘの表面から離脱規制用頭部４２ｘが突出する事態を回避することが可能となっている。
【特許文献１】特開２００３−１２３４２６号公報（第３−１０頁、第１−２８図）
【特許文献２】特開２００５−３２２２９２号公報（第６−１３頁、第１−３０図）
【発明の開示】
【発明が解決しようとする課題】
【０００８】
ところが、出願人が開示しているディスクカートリッジ１ｘには、以下の改善すべき課題がある。すなわち、出願人が開示しているディスクカートリッジ１ｘでは、離脱規制用頭部４２ｘの厚み（図８における高さＨ５ｂｘ）よりも深い深さＤｘの凹部６２ｘをシャッタ部材６ｘに形成することによってシャッタ部材６ｘの表面から離脱規制用頭部４２ｘが突出する事態を回避するように構成されている。この場合、この種のディスクカートリッジでは、ディスクトレイに対してシャッタ部材をスムーズに回動させるために、ディスクトレイにシャッタ部材を取り付けた状態において、ディスクトレイとシャッタ部材との間に極く小さな隙間（例えば、図８に示す隙間Ｓｘ）が形成されるように構成されている。したがって、図９に示すように、ディスクトレイ５ｘの底板３１ｘに向けてシャッタ部材６ｘを強く押し付けたときには、上記の隙間Ｓｘの分だけシャッタ部材６ｘが底板３１ｘに向けて移動することとなる。このため、出願人が開示しているディスクカートリッジ１ｘには、シャッタ部材６ｘの表面から離脱規制用頭部４２ｘが高さＨ６ｘだけ突出するおそれがあり、突出した離脱規制用頭部４２ｘが下シェルにおける開口部の口縁に当接してディスクトレイ５ｘの回動が阻害されるおそれがある。
【０００９】
本発明は、かかる改善すべき課題に鑑みてなされたものであり、シャッタ部材の表面からの離脱規制用頭部の突出を回避し得るディスクカートリッジを提供することを主目的とする。
【課題を解決するための手段】
【００１０】
上記目的を達成すべく本発明に係るディスクカートリッジは、第１シェル、およびディスクアクセス用の第１開口部が形成された第２シェルを有してディスク状情報媒体を収容するカートリッジ本体と、ディスクアクセス用の第２開口部が形成されて前記カートリッジ本体内に回動可能に配設され、ディスクアクセスを規制する規制状態において前記第１開口部の一部を閉塞すると共に当該ディスクアクセスを許容する許容状態において当該第１開口部に対して前記第２開口部が連通させられて当該一部を開口するディスクトレイと、前記第２シェルおよび前記ディスクトレイの間に配設されて当該ディスクトレイに軸支され、前記規制状態において前記第１開口部における他の一部を閉塞して前記ディスクトレイと相俟って当該第１開口部を閉塞すると共に前記許容状態において前記他の一部を開口するシャッタ部材とを備え、前記ディスクトレイには、前記シャッタ部材に形成された軸受孔に挿通させられて当該シャッタ部材を軸支する支持軸が本体部に突設され、前記支持軸は、軸本体の先端部に離脱規制用頭部が形成されると共に前記本体部の表面からの高さが前記シャッタ部材の厚みよりも低くなるように形成され、前記離脱規制用頭部は、前記支持軸の高さ方向に対して直交する第１の長さが当該第１の長さの方向および当該高さ方向の双方に対して直交する第２の長さよりも長い長板状に形成され、前記シャッタ部材には、前記支持軸を挿通可能に形成されると共に当該支持軸を中心として当該シャッタ部材を前記ディスクトレイに対して回動させることによって当該シャッタ部材の当該ディスクトレイからの離脱を規制可能な軸受孔が形成されている。
【００１１】
また、本発明に係るディスクカートリッジは、前記第１の長さが前記軸本体の前記先端部に近付くほど徐々に短くなるように前記離脱規制用頭部の下面がテーパ面で構成され、前記軸受孔には、前記離脱規制用頭部の前記テーパ面が当接可能な逆テーパ面が形成されている。
【発明の効果】
【００１２】
本発明に係るディスクカートリッジによれば、第１の長さが第２の長さよりも長い離脱規制用頭部を軸本体の先端部に形成すると共にその高さがシャッタ部材の厚みよりも低くなるように支持軸をディスクトレイにおける本体部に突設したことにより、たとえシャッタ部材をディスクトレイに向けて強く押し付けたとしても、離脱規制用頭部の先端部がシャッタ部材の表面から突出する事態を確実に回避することができる。したがって、シャッタ部材から突出した離脱規制用頭部が第２シェルにおける第１開口部の口縁部に当接する事態を回避することができるため、カートリッジ本体に対するディスクトレイの回動が阻害される事態を招くことなく、ディスクトレイをスムーズに回動させることができる。また、熱かしめ装置等を用いてディスクトレイ（インナーシェル）にシャッタ部材をかしめ処理して固定している従来のディスクカートリッジとは異なり、ディスクトレイの射出成形時に離脱規制用頭部をディスクトレイの本体部分と一体的に成形することができる。したがって、ディスクトレイに対するシャッタ部材の取り付け作業時におけるシャッタ部材とディスクトレイとの溶着作業を不要にできるため、シャッタ部材の回動不良の発生を確実に回避することができる。また、射出成形時において支持軸を成形することにより、頭部の大きさや厚み（支持軸の高さ方向における長さ）にばらつきを生じさせることなく支持軸を突設することができる。このため、頭部が小さ過ぎて軸受孔から抜け易くなる事態や、頭部が薄過ぎて破断し易くなる事態を確実に回避することができる。したがって、ディスクトレイからのシャッタ部材の意図しない外れ（離脱）を確実に回避することができる。
【００１３】
また、本発明に係るディスクカートリッジによれば、軸本体の先端部に近付くほど第１の長さが徐々に短くなるように離脱規制用頭部の下面をテーパ面で構成すると共に、離脱規制用頭部のテーパ面が当接可能な逆テーパ面を軸受孔に形成したことにより、離脱規制用頭部の下面（テーパ面）が軸受孔の内壁面（逆テーパ面）に当接することで支持軸の中心が軸受孔の中心に位置合わせされるため、位置ずれに起因してシャッタ部材が例えば第２シェル等に当接する事態を回避して、ディスクトレイに対してシャッタ部材をスムーズに回動させることができる。
【発明を実施するための最良の形態】
【００１４】
以下、添付図面を参照して、本発明に係るディスクカートリッジの最良の形態について説明する。
【００１５】
最初に、ディスクカートリッジ１の構成について、図面を参照して説明する。
【００１６】
図１，２に示すディスクカートリッジ１は、各種記録データの記録および再生が可能に構成されたカートリッジ式の情報媒体であって、カートリッジ本体２、ディスクトレイ５、シャッタ部材６およびロック部材７などを備えてカートリッジ本体２内に光ディスク９が収納されて構成されている。なお、図２では、本発明についての理解を容易とするために、その厚み方向のサイズを誇張して厚く図示している。
【００１７】
この場合、光ディスク９は、一例として、片面仕様の書き換え型のディスク状情報媒体（ディスク状情報記録媒体）であって、図２に示すように、その中心部には、記録再生装置にクランプさせるための直径１５ｍｍ程度の中心孔９ａが形成されている。この光ディスク９は、カートリッジ本体２の上シェル４に取り付けられた円板状のクランピングプレート８が記録再生装置によって引き寄せられることによって記録再生装置にクランプされる。一方、図１，２に示すように、カートリッジ本体２は、互いに嵌合可能に（重ね合わせが可能に）形成された下シェル３および上シェル４を備えている。
【００１８】
下シェル３は、本発明における第２シェルに相当し、一対の下シェル本体１１ａ，１１ｂを備えて、一例として、ポリカーボネート（または、ＡＢＳ樹脂等）を用いて射出成形されている。この下シェル３は、上シェル４に嵌合させた状態（上シェル４に重ね合わせて一体化させた状態）において、両下シェル本体１１ａ，１１ｂの間にディスクアクセス用の開口部１５が形成されるように構成されている。この場合、開口部１５は、本発明における第１開口部に相当し、記録データの記録再生時において、カートリッジ本体２内の光ディスク９に対するディスクアクセス（記録再生装置によるクランプや、光学ヘッドを介してのレーザービームの照射等）が可能となるようにその開口幅および開口長等が規定されている。
【００１９】
具体的には、図１に示すように、開口部１５は、下シェル３の一方の外縁部（同図における手前側の縁部）から中心部を挟んで対向する他方の外縁部（同図における奥側の縁部）に亘る帯状となるように形成されている。これにより、開口部１５は、カートリッジ本体２内に収容された状態の光ディスク９における中心孔９ａの周囲を含む中心部領域を挟んで互いに対向する一対の外縁部領域間に亘る帯状の領域を露出可能な形状および大きさとなっている。この構成により、このディスクカートリッジ１では、２つの光学ヘッドを同時に用いて光ディスク９に対する記録データの記録および再生を行うことが可能となっている。また、両下シェル本体１１ａ，１１ｂの裏面側（カートリッジ本体２の内面側）には、シャッタ部材６のスリット４２（図３参照）に挿入されて、後述するようにディスクトレイ５の回動に伴ってシャッタ部材６をスライドさせるための回動用凸部（図示せず）がそれぞれ立設されている。
【００２０】
上シェル４は、本発明における第１シェルに相当し、一例として、透過性を有するポリカーボネートを用いて射出成形されている。また、図２に示すように、上シェル４の中央部には、リング状の取付け部材８ａによってクランピングプレート８が取り付けられている。この場合、クランピングプレート８は、例えば金属材料で円板状に形成され、上シェル４に対して回転可能で、上シェル４の天板に対する接離方向で僅かに移動可能に取り付けられている。
【００２１】
ディスクトレイ５は、図２，３に示すように、開口部２５が形成された円板状の底板２１（本発明における本体部）と、底板２１の外縁部に立設された側壁２２とで光ディスク９を載置可能な浅皿状に形成されて、光ディスク９と共にカートリッジ本体２内に回動可能に収容されている。この場合、開口部２５は、本発明における第２開口部に相当し、下シェル３における開口部１５の幅とほぼ同じ幅となるように形成されている。また、図３に示すように、側壁２２には、記録再生装置のシャッタ開閉手段（図示せず）が噛合可能な噛合用歯部２２ａが形成されている。さらに、側壁２２には、光ディスク９に対するディスクアクセスを規制している状態（常態）においてロック部材７（図１参照）が係合してカートリッジ本体２に対する回動を規制するための切り欠きや、記録再生装置のシャッタ開閉手段が係合してディスクトレイ５を回動させるための切り欠きなどが形成されている。
【００２２】
また、図３に示すように、ディスクトレイ５における底板２１の下面（図２における下面：光ディスク９が載置される側の面に対する裏面）には、シャッタ部材６を軸支するための支持軸２３，２３が突出するようにして形成（突設）されている。この支持軸２３は、ディスクトレイ５の射出成形時において底板２１と一体的に成形されて、シャッタ部材６を回動可能に軸支する。この場合、図４に示すように、支持軸２３は、底板２１に立設された軸本体３１と、軸本体３１の先端部（同図における上端部）に形成された離脱規制用頭部（以下、「頭部」ともいう）３２とを備えて形成されている。また、このディスクトレイ５には、頭部３２を成形するための型抜き用孔３３，３３が底板２１における軸本体３１の近傍に開口されている。
【００２３】
この場合、軸本体３１は、その直径が３．０ｍｍ程度で、底板２１の表面からの高さＨ５ａ（図６参照）が０．３ｍｍ程度の円柱状に形成されている。また、頭部３２は、平面視が長板状となるように軸本体３１と一体成形されて、図３に示すように、短尺側の長さＬ１（本発明における第２の長さ）が３．０ｍｍ程度で、長尺側の長さＬ２（本発明における第１の長さ：長さＬ１に対して直交する向きの長さ）が３．６ｍｍ程度となるように形成されている。この場合、図６に示すように、頭部３２は、軸本体３１の先端部に近付くほど長尺側の長さが徐々に短くなるように、その下面がテーパ面で構成されている。また、頭部３２は、その高さＨ５ｂが０．５ｍｍ程度となるように形成されている。これにより、底板２１の表面からの支持軸２３の高さＨ５（軸本体３１の高さＨ５ａと頭部３２の高さＨ５ｂとの和）が０．８ｍｍ程度となっている。
【００２４】
シャッタ部材６は、図３に示すように、ディスクトレイ５の支持軸２３を挿通可能な軸受孔４１と、下シェル３の回動用凸部を挿通可能なスリット４２とが形成されて、全体として、その厚みＴ（図６参照）が１．０ｍｍ程度となるように平板状に形成されている。このシャッタ部材６は、後述するように、支持軸２３を軸受孔４１に挿通させるようにしてディスクトレイ５に対して回動可能に軸支された状態で、図２に示すように、下シェル３とディスクトレイ５との間に挟み込まれるようにしてカートリッジ本体２内に収容されている。この場合、このディスクカートリッジ１では、ディスクトレイ５に対してシャッタ部材６をスムーズに回動させるために、ディスクトレイ５にシャッタ部材６を取り付けた状態において、ディスクトレイ５とシャッタ部材６との間に極く小さな隙間（一例として、０．１ｍｍ程度の隙間）が形成されるように構成されている。
【００２５】
軸受孔４１は、図５，６に示すように、支持軸２３における軸本体３１の挿通が可能に構成された平面視長孔状の挿通用孔４１ａと、挿通用孔４１ａを取り囲むようにして形成された平面視長孔状で断面が逆テーパ状の凹部４１ｂとがシャッタ部材６の厚み方向で連通するようにして構成されている。この場合、図５に示すように、挿通用孔４１ａは、シャッタ部材６の厚み方向に対して直交する長尺側の長さ（開口長）Ｌ４が３．７ｍｍ程度で、長さＬ４の方向およびシャッタ部材６の厚み方向の双方に対して直交する短尺側の長さ（開口長）Ｌ３が３．１ｍｍ程度となるように長孔状に形成されている。また、挿通用孔４１ａは、上記の長さＬ４が支持軸２３における頭部３２の長尺側の長さＬ２よりも０．１ｍｍ程度長く形成されると共に、上記の長さＬ３が頭部３２の長尺側の長さＬ２よりも０．５ｍｍ程度短く、かつ、頭部３２の短尺側の長さＬ１よりも０．１ｍｍ程度長くなるように形成されている。これにより、ディスクトレイ５に対するシャッタ部材６の取付け時において、挿通用孔４１ａに対する支持軸２３の頭部３２の挿通を可能としつつ、軸受孔４１からの支持軸２３の抜けが回避されている。
【００２６】
一方、凹部４１ｂは、図６に示すように、その深さＤが頭部３２の高さＨ５ｂよりも僅かに深い０．７ｍｍ程度で、その短尺側および長尺側の長さ（開口長）が挿通用孔４１ａの各開口幅（長さＬ３，Ｌ４）よりもそれぞれ０．５ｍｍ程度大きくなるように形成されている。これにより、凹部４１ｂ内での頭部３２の相対的回動（ディスクトレイ５に対するシャッタ部材６の回動に伴うシャッタ部材６に対する支持軸２３の回動）が許容されている。
【００２７】
この場合、このディスクカートリッジ１では、図５において網線で塗りつぶした領域の厚みＴが従来のディスクカートリッジ１ｘにおけるシャッタ部材６ｘの厚みＴｘ（図８，９参照）よりも厚くなるようにシャッタ部材６を形成することにより、支持軸２３の高さＨ５がシャッタ部材６における軸受孔４１の周囲の厚みＴよりも高さＨ６（図６参照）だけ低くなるように形成されている。したがって、このディスクカートリッジ１によれば、軸受孔４１の周囲の領域を従来のシャッタ部材６ｘの厚みＴｘよりも厚く形成したことにより、例えばディスクカートリッジ１を１．５ｍ程度の高さ（立っている人の肩の高さの一例：肩に担いだ状態のビデオカメラに対して挿入する際においてディスクカートリッジを誤って落下させた場合を想定した高さ）から木の床の上に落下させたとしても、軸受孔４１の周囲が破断することに起因してシャッタ部材６がディスクトレイ５から外れることのない程度に、シャッタ部材６が丈夫に形成されている。
【００２８】
次に、ディスクカートリッジ１の組立て方法および使用方法について、図面を参照して説明する。
【００２９】
このディスクカートリッジ１の組立てに際しては、図３に示すように、まず、ディスクトレイ５にシャッタ部材６，６を取り付ける。具体的には、軸受孔４１における長尺方向の向きと支持軸２３における長尺方向の向きとを一致させた状態において、挿通用孔４１ａに支持軸２３（頭部３２）を挿通させ、その後にディスクトレイ５に対してシャッタ部材６を回動させることにより、頭部３２が挿通用孔４１ａの口縁部（凹部４１ｂの底部）に係合してディスクトレイ５からのシャッタ部材６の外れ（離脱）が規制される。したがって、このディスクカートリッジ１では、熱かしめ装置等によるかしめ処理を不要としつつ、ディスクトレイ５にシャッタ部材６を取り付けることが可能となっている。これにより、ディスクトレイ５に対するシャッタ部材６，６の取り付けが完了する。
【００３０】
次いで、シャッタ部材６の取り付けが完了したディスクトレイ５上に光ディスク９を載置した状態で下シェル３および上シェル４の間に挟み込むようにしてカートリッジ本体２内に収容する。この際には、シャッタ部材６のスリット４２に下シェル３（下シェル本体１１ａ，１１ｂ）の回動用凸部が挿入されるようにして上シェル４に下シェル３を重ね合わせて固定する。これにより、図１，２に示すように、ディスクカートリッジ１が完成する。
【００３１】
このディスクカートリッジ１では、図１に示すように、記録再生装置から取り外されている状態のときには、下シェル３の開口部１５が、ディスクトレイ５とシャッタ部材６，６とによって閉塞されて、カートリッジ本体２内の光ディスク９に対するディスクアクセスが規制されている（本発明における規制状態）。具体的には、開口部１５における長手方向両端部側の端部領域（光ディスク９の外縁部側を露出させるための開口部位：本発明における一部）がディスクトレイ５の底板２１によって閉塞されると共に、開口部１５における長手方向中央部の中央部領域（光ディスク９における中心孔９ａの近傍を露出させるための開口部位：本発明における他の一部）がシャッタ部材６，６によって閉塞される。この結果、ディスクトレイ５およびシャッタ部材６，６によって開口部１５の全域が閉塞されて、光ディスク９が保護される。
【００３２】
この際に、このディスクカートリッジ１では、ディスクトレイ５およびシャッタ部材６，６によって開口部１５の全域が閉塞されている状態において、ディスクトレイ５における支持軸２３の頭部３２がシャッタ部材６における軸受孔４１の挿通用孔４１ａの口縁部（凹部４１ｂの底部）に係合する。これにより、ディスクトレイ５からのシャッタ部材６の外れ（離脱）が規制された状態が維持される。
【００３３】
一方、ディスクカートリッジ１を記録再生装置に装填した際には、ディスクカートリッジ１が記録再生装置によって装置内部に引き込まれる。この際には、記録再生装置のシャッタ開閉手段によってディスクトレイ５が回動させられるのに伴い、シャッタ部材６がディスクトレイ５に対して回動させられる。これにより、開口部１５が開口されてカートリッジ本体２内の光ディスク９に対するディスクアクセスが許容される（本発明における許容状態）。
【００３４】
具体的には、まず、記録再生装置のシャッタ開閉手段がロック部材７に当接することによって、ロック部材７がカートリッジ本体２に対して回動させられてディスクトレイ５の回動規制を解除する。次に、ディスクカートリッジ１が記録再生装置内にさらに引き込まれた際には、シャッタ開閉手段がディスクトレイ５の噛合用歯部２２ａに噛合して、この状態でディスクカートリッジ１がさらに引き込まれることによってディスクトレイ５がカートリッジ本体２に対して回動させられる。この際には、ディスクトレイ５の回動に伴い、下シェル３の回動用凸部がシャッタ部材６のスリット４２内を相対的にスライドすることによって、シャッタ部材６が軸受孔４１（ディスクトレイ５の支持軸２３）を中心としてディスクトレイ５に対して回動（スライド）させられる。
【００３５】
次いで、ディスクカートリッジ１が記録再生装置内にさらに引き込まれた際には、図２に示すように、下シェル３の開口部１５とディスクトレイ５の開口部２５とがディスクカートリッジ１の厚み方向において重ね合わされる（連通する）と共に、シャッタ部材６，６が開口部２５上から退避させられる。これにより、ディスクトレイ５によって閉塞されていた開口部１５の端部領域と、シャッタ部材６によって閉塞されていた開口部１５の中央部領域とが開口されてカートリッジ本体２内の光ディスク９が露出して、カートリッジ本体２の外部からの光ディスク９に対するディスクアクセスが許容される。
【００３６】
この際に、このディスクカートリッジ１では、ディスクトレイ５およびシャッタ部材６，６による開口部１５の閉塞が解除された状態（開口部１５の全域が開口された状態）において、ディスクトレイ５における支持軸２３の頭部３２がシャッタ部材６における軸受孔４１の挿通用孔４１ａの口縁部（凹部４１ｂの底部）に係合してディスクトレイ５からのシャッタ部材６の外れ（離脱）が規制された状態が維持される。この後、記録再生装置によってクランピングプレート８が磁気的に吸引されて中心孔９ａの口縁部（中心部領域）がクランプされ、開口部１５を介してのレーザービームの照射（記録データの記録または再生）が実行される。
【００３７】
一方、記録データの記録再生を完了したディスクカートリッジ１を記録再生装置から取り出す際には、記録再生装置のシャッタ開閉手段によってディスクトレイ５が回動させられると共に、その回動に伴ってシャッタ部材６が回動させられて、ディスクトレイ５およびシャッタ部材６，６によって開口部１５の全域が閉塞される。
【００３８】
この場合、図６に示すように、このディスクカートリッジ１では、支持軸２３における軸本体３１の高さＨ５ａと頭部３２の高さＨ５ｂの和である支持軸２３の高さＨ５が、シャッタ部材６における軸受孔４１の周囲の領域の厚みＴよりも高さＨ６だけ低くなるように形成されている。したがって、記録再生装置の内部において、たとえシャッタ部材６がディスクトレイ５の底板２１に向けて強く押し付けられたとしても、シャッタ部材６の表面から支持軸２３における頭部３２の先端部が突出することなく、頭部３２が軸受孔４１（凹部４１ｂ）内に位置した状態が維持される。これにより、開口部１５を閉塞する際に、頭部３２が下シェル３（下シェル本体１１ａ，１１ｂ）における開口部１５の口縁に当接することが回避されるため、ディスクトレイ５の回動が阻害されることなく、ディスクトレイ５をスムーズに回動させることが可能となっている。この結果、カートリッジ本体２、ディスクトレイ５およびシャッタ部材６，６によってカートリッジ本体２内の光ディスク９が保護される。
【００３９】
この場合、このディスクカートリッジ１では、ディスクトレイ５およびシャッタ部材６によって開口部１５の全域が開口されている状態から、開口部１５の全域が閉塞される状態まで移行する間において、ディスクトレイ５に対してシャッタ部材６が回動させられる際に、支持軸２３の頭部３２が軸受孔４１の挿通用孔４１ａの口縁部（凹部４１ｂの底部）に係合した状態が維持される。したがって、ディスクカートリッジ１を記録再生装置に装填した状態、および、ディスクカートリッジ１を記録再生装置から取り出した状態の双方において、ディスクトレイ５に対するシャッタ部材６の回動時におけるディスクトレイ５からのシャッタ部材６の外れ（離脱）が規制された状態が維持される。
【００４０】
このように、このディスクカートリッジ１によれば、長さＬ２（第１の長さ）が長さＬ１（第２の長さ）よりも長い離脱規制用頭部３２を軸本体３１の先端部に形成すると共にその高さＨ５がシャッタ部材６の厚みＴよりも低くなるように支持軸２３をディスクトレイ５における底板２１（本体部）に突設したことにより、たとえシャッタ部材６をディスクトレイ５に向けて強く押し付けたとしても、離脱規制用頭部３２の先端部がシャッタ部材６の表面から突出する事態を確実に回避することができる。したがって、シャッタ部材６から突出した離脱規制用頭部３２が下シェル３における開口部１５の口縁部（下シェル本体１１ａ，１１ｂ）に当接する事態を回避することができるため、カートリッジ本体２に対するディスクトレイ５の回動が阻害される事態を招くことなく、ディスクトレイ５をスムーズに回動させることができる。また、熱かしめ装置等を用いてディスクトレイ（インナーシェル）にシャッタ部材をかしめ処理して固定している従来のディスクカートリッジとは異なり、ディスクトレイ５の射出成形時に離脱規制用頭部３２ディスクトレイ５の本体部分と一体的に成形することができる。したがって、ディスクトレイ５に対するシャッタ部材６の取り付け作業時におけるシャッタ部材６とディスクトレイ５との溶着作業を不要にできるため、シャッタ部材６の回動不良の発生を確実に回避することができる。また、射出成形時において支持軸２３を成形することにより、頭部３２の大きさや厚み（図６における高さＨ５ｂ）にばらつきを生じさせることなく支持軸２３を突設することができる。このため、頭部３２が小さ過ぎて軸受孔４１から抜け易くなる事態や、頭部３２が薄過ぎて破断し易くなる事態を確実に回避することができる。したがって、ディスクトレイ５からのシャッタ部材６の意図しない外れ（離脱）を確実に回避することができる。
【００４１】
また、このディスクカートリッジ１によれば、軸本体３１の先端部に近付くほど徐々に細径となるように離脱規制用頭部３２の下面をテーパ面で構成すると共に、離脱規制用頭部３２のテーパ面が当接可能な逆テーパ面を軸受孔４１（凹部４１ｂ）に形成したことにより、離脱規制用頭部３２の下面（テーパ面）が軸受孔５１の内壁面（逆テーパ面）に当接することで支持軸２３の中心が軸受孔５１の中心に位置合わせされるため、位置ずれに起因してシャッタ部材６が例えば下シェル３等に当接する事態を回避して、ディスクトレイ５に対してシャッタ部材６をスムーズに回動させることができる。
【００４２】
なお、本発明は、上記した構成に限定されない。例えば、本発明におけるディスク状情報媒体としては、上記した書き換え型の光ディスク９に限定されず、再生専用タイプの光ディスクや、追記型の光ディスクなどの各種の光ディスクが含まれるばかりでなく、光磁気ディスクや磁気ディスクも含まれる。また、上記したディスクカートリッジ１では、別個独立した下シェル本体１１ａ，１１ｂを有する下シェル３を備えてカートリッジ本体２が構成されているが、本発明はこれに限定されず、例えば、図７に示すディスクカートリッジ１Ａのように、ディスクカートリッジ１における下シェル３に代えて、連結部１１ｃ，１１ｄによって下シェル本体１１ａ，１１ｂを一体的に連結した下シェル３Ａを採用してカートリッジ本体２Ａを構成することもできる。
【００４３】
さらに、本発明におけるディスクアクセス用の開口部の開口形状は、上記の例のようにカートリッジ本体２の前後方向に長い長方形形状の開口形状に限定されるものではなく、カートリッジ本体の左右方向に長い長方形形状の開口形状や、方形形状のカートリッジ本体における対角線方向に長い長方形形状の開口形状であってもよい（図示せず）。この場合、本発明に係るディスクカートリッジとしては、２つの光学ヘッドを同時に用いた記録再生が可能なタイプに限定されず、単一の光学ヘッドを用いた記録再生が可能な開口部を下シェル３に形成したタイプのディスクカートリッジが含まれる（図示せず）。
【００４４】
また、上記したディスクカートリッジ１では、下シェル３に回動用凸部を突設すると共にシャッタ部材６にスリット４２を形成してディスクトレイ５の回動に伴ってシャッタ部材６を回動させる構成を採用しているが、本発明はこれに限定されず、シャッタ部材６に回動用凸部を突設すると共に下シェル３に回動用案内溝（スリット）を形成してディスクトレイ５の回動に伴ってシャッタ部材６を回動させる構成を採用することもできる。さらに、本発明における離脱規制用頭部の平面視形状、および軸受孔（挿通用孔）の開口形状は、ディスクカートリッジ１における頭部３２および挿通用孔４１ａの形状に限定されず、一方の幅に対して他方の幅が長い長板状（長孔状）である限り、これらの形状を適宜変更することができる。
【図面の簡単な説明】
【００４５】
【図１】ディスクカートリッジ１の外観斜視図である。
【図２】開口部１５を開口した状態のディスクカートリッジ１の断面図である。
【図３】ディスクトレイ５およびシャッタ部材６，６の平面図である。
【図４】ディスクトレイ５における支持軸２３の近傍の斜視図である。
【図５】シャッタ部材６における軸受孔４１の近傍の平面図である。
【図６】ディスクトレイ５における支持軸２３、およびシャッタ部材６における軸受孔４１の近傍の断面図である。
【図７】ディスクカートリッジ１Ａの外観斜視図である。
【図８】出願人が開示しているディスクカートリッジ１ｘにおけるディスクトレイ５ｘの支持軸３３ｘ、およびシャッタ部材６ｘの軸受孔５１ｘの近傍の断面図である。
【図９】出願人が開示しているディスクカートリッジ１ｘにおけるディスクトレイ５ｘの支持軸３３ｘ、およびシャッタ部材６ｘの軸受孔５１ｘの近傍の他の断面図である。
【符号の説明】
【００４６】
１，１Ａ  ディスクカートリッジ
２，２Ａ  カートリッジ本体
３，３Ａ  下シェル
４  上シェル
５  ディスクトレイ
６  シャッタ部材
９  光ディスク
１１ａ，１１ｂ  下シェル本体
１５，２５  開口部
２１  底板
２３  支持軸
３１  軸本体
３２  離脱規制用頭部
４１  軸受孔
４１ａ  挿通用孔
４１ｂ  凹部
Ｄ  深さ
Ｈ５，Ｈ５ａ，Ｈ５ｂ，Ｈ６  高さ
Ｌ１〜Ｌ４  長さ
Ｔ  厚み
【図１】
2007265504.tif 000003
【図２】
2007265504.tif 000004
【図３】
2007265504.tif 000005
【図４】
2007265504.tif 000006
【図５】
2007265504.tif 000007
【図６】
2007265504.tif 000008
【図７】
2007265504.tif 000009
【図８】
2007265504.tif 000010
【図９】
2007265504.tif 000011